(57)【要約】【課題】ＳＲＳ送信用リソースを適切に割り当てる。【解決手段】本発明に係る無線基地局ｅＮＢは、各移動局に対して、所定の物理信号（ＳＲＳ）を送信するための物理信号送信用リソースとして、時間方向リソース、周波数方向リソース及びコード方向リソースを割り当てるように構成されているリソース割当部１１を具備し、周波数方向リソースは、周波数領域及び周波数領域内の周波数位置によって特定されるように構成されている。【選択図】図１３
2010232743.tif 000002
【特許請求の範囲】
【請求項１】
各移動局に対して、所定の物理信号を送信するための物理信号送信用リソースとして、時間方向リソース、周波数方向リソース及びコード方向リソースを割り当てるように構成されているリソース割当部を具備し、
前記周波数方向リソースは、周波数領域及び該周波数領域内の周波数位置によって特定されるように構成されていることを特徴とする無線基地局。
【請求項２】
各移動局によって送信される複数の物理信号で使用される周波数帯域幅が同一である場合、前記リソース割当部は、各移動局に対して、前記物理信号送信用リソースとして、前記時間方向リソース及び前記周波数方向リソースを割り当てた後に、コード方向リソースを割り当てるように構成されていることを特徴とする請求項１に記載の無線基地局。
【請求項３】
前記リソース割当部は、各周波数方向リソースにおけるコード方向リソースの使用状況に基づいて、前記物理信号送信用リソースとして割り当てる周波数方向リソースを決定するように構成されていることを特徴とする請求項２に記載の無線基地局。
【請求項４】
前記リソース割当部は、各時間方向リソース内において、使用中のコード方向リソースの数が少ない周波数方向リソースから順に、前記物理信号送信用リソースとして割り当てるように構成されていることを特徴とする請求項３に記載の無線基地局。
【請求項５】
前記リソース割当部は、各時間方向リソース内において、使用可能なコード方向リソースの数が多い周波数方向リソースから順に、前記物理信号送信用リソースとして割り当てるように構成されていることを特徴とする請求項３に記載の無線基地局。
【請求項６】
前記リソース割当部は、各時間方向リソース内において、コード方向リソースの使用率が小さい周波数方向リソースから順に、前記物理信号送信用リソースとして割り当てるように構成されていることを特徴とする請求項３に記載の無線基地局。
【請求項７】
前記リソース割当部は、各周波数方向リソースにおいて、解放された後に一定期間経過したコード方向リソースを、前記使用可能なコード方向リソースとするように構成されていることを特徴とする請求項４に記載の無線基地局。
【請求項８】
前記リソース割当部は、各周波数方向リソースにおいて、コード方向リソースを、所定の順序でラウンドロビンに割り当てるように構成されていることを特徴とする請求項４に記載の無線基地局。
【請求項９】
前記リソース割当部は、各周波数方向リソースにおけるコード方向リソースを、間欠的に割り当てるように構成されていることを特徴とする請求項２に記載の無線基地局。
【請求項１０】
前記リソース割当部は、特定インデックスが付与されているコード方向リソースの割り当て位置を、他セルにおける該特定インデックスが付与されているコード方向リソースの割り当て位置からずらすように構成されていることを特徴とする請求項２に記載の無線基地局。
【請求項１１】
各移動局によって送信される複数の物理信号で使用される周波数帯域幅が異なる場合、前記リソース割当部は、第１周波数帯域幅に渡る該物理信号を送信するための物理信号送信用リソースとして割り当て可能な時間方向リソースと、第２周波数帯域幅に渡る該物理信号を送信するための物理信号送信用リソースとして割り当て可能な時間方向リソースとを変えるように構成されていることを特徴とする請求項１に記載の無線基地局。
【請求項１２】
各移動局によって送信される複数の物理信号で使用される周波数帯域幅が異なる場合、前記リソース割当部は、第１周波数帯域幅に渡る該物理信号を送信するための物理信号送信用リソースとして割り当て可能な時間方向リソース及び周波数帯域内の周波数位置の組み合わせと、第２周波数帯域幅に渡る該物理信号を送信するための物理信号送信用リソースとして割り当て可能な時間方向リソース及び周波数帯域内の周波数位置の組み合わせとを変えるように構成されていることを特徴とする請求項１に記載の無線基地局。
【請求項１３】
各移動局に対して、所定の物理信号を送信するための物理信号送信用リソースとして、時間方向リソース、周波数方向リソース及びコード方向リソースを割り当てる工程を有し、
前記周波数方向リソースは、周波数領域及び該周波数領域内の周波数位置によって特定されることを特徴とする移動通信方法。
【発明の詳細な説明】
【技術分野】
【０００１】
本発明は、無線基地局及び移動通信方法に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、各移動局ＵＥは、無線基地局ｅＮＢに対して、物理信号の一種である「Ｓｏｕｎｄｉｎｇ  ＲＳ（Ｓｏｕｎｄｉｎｇ  Ｒｅｆｅｒｅｎｃｅ  Ｓｉｇｎａｌ、以下、ＳＲＳ）」を送信するように構成されている。
【先行技術文献】
【非特許文献】
【０００３】
【非特許文献１】３ＧＰＰ  ＴＳ３６.２１１  Ｖ８.５.０、「Ｐｈｙｓｉｃａｌ  Ｃａｈｅｎｎｅｌ  ａｎｄ  Ｍｏｄｕｌａｔｉｏｎ」、２００８年１１月
【非特許文献２】３ＧＰＰ  ＴＳ３６.２１３  Ｖ８.５.０、「Ｐｈｙｓｉｃａｌ  Ｌａｙｅｒ  Ｐｒｏｃｅｄｕｒｅ」、２００８年１１月
【発明の概要】
【発明が解決しようとする課題】
【０００４】
しかしながら、３ＧＰＰでは、各移動局ＵＥに対するＳＲＳ送信用リソースの割り当て方法について規定されていないため、上述の移動通信システムにおいて、ＳＲＳ送信用リソースが適切に割り当てられない場合があるという問題点があった。
【０００５】
そこで、本発明は、上述の課題に鑑みてなされたものであり、ＳＲＳ送信用リソースを適切に割り当てることができる無線基地局及び移動通信方法を提供することを目的とする。
【課題を解決するための手段】
【０００６】
本発明の第１の特徴は、無線基地局であって、各移動局に対して、所定の物理信号を送信するための物理信号送信用リソースとして、時間方向リソース、周波数方向リソース及びコード方向リソースを割り当てるように構成されているリソース割当部を具備し、前記周波数方向リソースは、周波数領域及び該周波数領域内の周波数位置によって特定されるように構成されていることを要旨とする。
【０００７】
本発明の第２の特徴は、移動通信方法であって、各移動局に対して、所定の物理信号を送信するための物理信号送信用リソースとして、時間方向リソース、周波数方向リソース及びコード方向リソースを割り当てる工程を有し、前記周波数方向リソースは、周波数領域及び該周波数領域内の周波数位置によって特定されることを要旨とする。
【発明の効果】
【０００８】
以上説明したように、本発明によれば、ＳＲＳ送信用リソースを適切に割り当てることができる無線基地局及び移動通信方法を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって割り当てられたＳＲＳの一例について説明するための図である。
【図４】本発明の第１の実施形態に係る無線基地局によってＳＲＳ送信用リソースとして割り当て可能な時間方向リソースの一例について説明するための図である。
【図５】本発明の第１の実施形態に係る無線基地局によってＳＲＳ送信用リソースとして割り当て可能な周波数方向リソースの一例について説明するための図である。
【図６】本発明の第１の実施形態に係る無線基地局によってＳＲＳ送信用リソースとして割り当て可能な周波数方向リソースの一例について説明するための図である。
【図７】本発明の第１の実施形態に係る無線基地局によってＳＲＳ送信用リソースとして割り当て可能な時間方向リソース及び周波数方向リソースの一例について説明するための図である。
【図８】本発明の第１の実施形態に係る無線基地局によってＳＲＳ送信用リソースとして割り当て可能なコード方向リソースの一例について説明するための図である。
【図９】本発明の第１の実施形態に係る無線基地局によってＳＲＳ送信用リソースとして割り当て可能なコード方向リソースの一例について説明するための図である。
【図１０】本発明の第１の実施形態に係る無線基地局によって、ＳＲＳ送信用リソースを割り当てる方法について説明するための図である。
【図１１】本発明の第１の実施形態に係る無線基地局によって、ＳＲＳ送信用リソースを割り当てる方法について説明するための図である。
【図１２】本発明の第１の実施形態に係る無線基地局によって、ＳＲＳ送信用リソースを割り当てる方法について説明するための図である。
【図１３】本発明の第１の実施形態に係る無線基地局によって、ＳＲＳ送信用リソースを割り当てる方法について説明するための図である。
【図１４】本発明の第１の実施形態に係る無線基地局によるＳＲＳ送信用リソースを割り当てる方法について示すフローチャート図である。
【発明を実施するための形態】
【００１０】
（本発明の第１の実施形態に係る移動通信システムの構成）
図１乃至図１２を参照して、本発明の第１の実施形態に係る移動通信システムの構成について説明する。
【００１１】
本実施形態に係る移動通信システムは、ＬＴＥ方式の移動通信システムであって、本実施形態に係る移動通信システムでは、図１に示すように、移動局ＵＥが、無線基地局ｅＮＢに対して、物理信号の一種である「ＳＲＳ」を送信するように構成されている。
【００１２】
また、本実施形態に係る移動通信システムでは、移動局ＵＥが、ＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）を介して、無線基地局ｅＮＢに対して、下りリンクにおける受信品質を通知するために用いるべき受信品質を示すＣＱＩ（Ｃｈａｎｎｅｌ  Ｑｕａｌｉｔｙ  Ｉｎｄｉｃａｔｏｒ）や、下りデータに対するＡＣＫ/ＮＡＣＫ（以下、Ａ/Ｎ）や、スケジューリング要求（Ｓｃｈｅｄｕｌｉｎｇ  Ｒｅｑｕｅｓｔ、ＳＲ）等を送信するように構成されている。
【００１３】
図２に示すように、無線基地局ｅＮＢは、リソース割当部１１と、通知部１２とを具備している。
【００１４】
リソース割当部１１は、無線基地局ｅＮＢ配下の各セルにおいて、所定の物理チャネル用リソース及び物理信号送信用リソースを割り当てるように構成されている。
【００１５】
ここで、物理チャネルは、上位レイヤからの情報を伝送するためのものであり、物理信号は、上位レイヤからの情報を伝送するのではなく、物理レイヤによって生成された情報を伝送するためのものである。
【００１６】
例えば、リソース割当部１１は、無線基地局ｅＮＢ配下の各セルにおいて、上り物理チャネル用リソースとして、ＰＵＣＣＨ用リソースや、ＰＵＳＣＨ（Ｐｈｙｓｉｃａｌ  Ｕｐｌｉｎｋ  Ｓｈａｒｅｄ  Ｃｈａｎｎｅｌ、物理上り共有チャネル）用リソース等を割り当てるように構成されている。
【００１７】
また、リソース割当部１１は、無線基地局ｅＮＢ配下の各セルにおいて、下り物理チャネル用リソースとして、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）用リソースや、ＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャネル）用リソース等を割り当てるように構成されている。
【００１８】
ここで、リソース割当部１１は、ＰＵＣＣＨ用リソースの中から、ＣＱＩ送信用リソースやＡ/Ｎ送信用リソースやＳＲ送信用リソースを割り当てるように構成されている。
【００１９】
また、リソース割当部１１は、所定の物理信号を送信するための物理信号送信用リソースとして、ＳＲＳ送信用リソースや、Ｄｅｍｏｄｕｌａｔｉｏｎ  ＲＳ（以下、ＤＲＳ）を送信するためのＤＲＳ送信用リソース等を割り当てるように構成されている。
【００２０】
リソース割当部１１によるリソースの割り当て動作の具体例については後述する。
【００２１】
通知部１２は、無線基地局ｅＮＢ配下の各セルにおいて、リソース割当部１１によって割り当てられたリソースを通知するように構成されている。
【００２２】
具体的には、通知部１２は、ＲＲＣメッセージで、各移動局ＵＥに対して、ＣＱＩ送信用リソースやＡ/Ｎ送信用リソースやＳＲ送信用リソースやＳＲＳ送信用リソースを通知するように構成されている。
【００２３】
以下、リソース割当部１１によるリソースの割り当て動作の具体例について説明する。
【００２４】
図３に示すように、リソース割当部１１は、システム周波数帯域幅における両端のリソースブロックから順に、ＰＵＣＣＨ用リソースブロックとして割り当て、ＰＵＣＣＨ用リソースブロックとして割り当てられたリソースブロックの内側のリソースブロックを、ＰＵＳＣＨ用リソースブロックとして割り当てるように構成されている。
【００２５】
ここで、リソースブロック（Ｒｅｓｏｕｒｃｅ  Ｂｌｏｃｋ、以下、ＲＢ）は、７ＯＦＤＭシンボルと１２サブキャリアとによって構成されている。
【００２６】
また、リソース割当部１１は、各サブフレームの最高尾に位置するＯＦＤＭシンボルを、ＳＲＳ送信用リソースとして割り当てるように構成されている。すなわち、リソース割当部１１は、各サブフレームの最後尾に位置するＯＦＤＭシンボルに、ＳＲＳを多重するように構成されている。
【００２７】
なお、図３に示すように、各ＰＵＣＣＨ用ＲＢでは、コード多重が行われるように構成されている。したがって、リソース割当部１１は、ＰＵＣＣＨ用リソースとして、時間方向リソースと周波数方向リソースとコード方向リソースとを割り当てるように構成されている。
【００２８】
また、リソース割当部１１は、１つのサブフレーム内の前半部分（スロット）と後半部分（スロット）との間で、「Ｉｎｔｒａ-ｓｕｂｆｒａｍｅ  ｆｒｅｑｕｅｎｃｙ  ｈｏｐｐｉｎｇ」によって、ＰＵＣＣＨ用リソースを割り当てるように構成されている。
【００２９】
図４に示すように、リソース割当部１１は、各移動局ＵＥに対してＳＲＳ送信用リソースとして割り当てる時間方向リソースとして、ＳＲＳを送信するサブフレームを決定するように構成されていてもよい。
【００３０】
例えば、図４に示すように、ＳＲＳを送信するサブフレームは、ＳＲＳの送信周期及び無線フレームの先頭からのオフセットによって決定される。なお、１無線フレームは、１０サブフレームによって形成されている。
【００３１】
図４（ａ）の例では、ＳＲＳの送信周期が「２０ｍｓ」であり、無線フレームの先頭からのオフセットが「３」であるため、リソース管理部１１は、１つおきの無線フレームのサブフレーム＃４を、ＳＲＳ送信用リソースとして割り当てる時間方向リソース（ＳＲＳ送信用サブフレーム）とする。
【００３２】
また、図４（ｂ）の例では、ＳＲＳの送信周期が「１０ｍｓ」であり、無線フレームの先頭からのオフセットが「５」であるため、リソース管理部１１は、各無線フレームのサブフレーム＃６を、ＳＲＳ送信用リソースとして割り当てる時間方向リソース（ＳＲＳ送信用サブフレーム）とする。
【００３３】
リソース割当部１１は、各移動局ＵＥに対して、ＳＲＳ送信用リソースとして割り当てる周波数方向リソースを決定するように構成されている。
【００３４】
例えば、リソース割当部１１は、かかる周波数方向リソースとして、ＳＲＳを送信する周波数帯域（Ｆｒｅｑｕｅｎｃｙ  Ｄｏｍａｉｎ  Ｐｏｓｉｔｉｏｎ）を割り当てるように構成されている。具体的には、リソース割当部１１は、かかる周波数方向リソースとして、ＳＲＳを送信する周波数帯域を特定する「ＳＲＳ  ＲＢＧ（Ｒｅｓｏｕｒｃｅ  Ｂｌｏｃｋ  Ｇｒｏｕｐ）」を割り当てるように構成されている。
【００３５】
例えば、図５に示すように、リソース割当部１１は、かかる周波数方向リソースとして、４０ＲＢに対応する周波数帯域を特定するＳＲＳ  ＲＢＧ＃４０-１や、２０ＲＢに対応する周波数帯域を特定するＳＲＳ  ＲＢＧ＃２０-１、ＳＲＳ  ＲＢＧ＃２０-２や、４ＲＢに対応する周波数帯域を特定するＳＲＳ  ＲＢＧ＃４-１乃至ＳＲＳ  ＲＢＧ＃４-１０等を割り当てるように構成されている。
【００３６】
また、リソース割当部１１は、かかる周波数方向リソースとして、ＳＲＳを送信する周波数帯域内の周波数を割り当てるように構成されている。
【００３７】
図６に示すように、リソース割当部１１は、「Ｔｒａｎｓｍｉｓｓｉｏｎ  Ｃｏｍｂ（ＴＣ）」によって、各周波数帯域内に２つのＳＲＳを多重するように構成されている。
【００３８】
ＴＣは、図６に示すように、各周波数帯域内の周波数（サブキャリア）において、２つのＳＲＳを交互に多重する技術である。ここで、各周波数帯域内では、「ｋＴＣ＝０」が割り当てられているＳＲＳ、「ｋＴＣ＝１」が割り当てられているＳＲＳの順に、多重されるように構成されているものとする。
【００３９】
すなわち、リソース割当部１１は、各移動局ＵＥに対して、周波数方向リソースとして、ＳＲＳ  ＲＢＧによって特定される周波数領域、及び、ＴＣにおけるｋＴＣによって特定される周波数領域内の周波数位置を割り当てるように構成されている。
【００４０】
図７には、ＳＲＳ送信用リソースとして割り当て可能な時間方向リソース及び周波数方向リソースについて示す。
【００４１】
例えば、図７において、リソース割当部１１は、移動局ＵＥ＃１に対して、ＳＲＳ送信用リソースとして、サブフレーム＃ｎ（時間方向リソース）と、ＳＲＳ  ＲＢＧ＃４-１（周波数方向リソース）と、「ｋＴＣ＝０（周波数方向リソース）」とによって特定されるリソースＡを割り当てるように構成されていてもよい。
【００４２】
また、各移動局ＵＥによって送信される複数のＳＲＳで使用される周波数帯域幅が同一である場合、リソース割当部１１は、各移動局ＵＥに対して、ＳＲＳ送信用リソースとして、時間方向リソース及び周波数方向リソースを割り当てた後に、コード方向リソース（ＣＳ）を割り当てるように構成されていてもよい。
【００４３】
具体的には、図８に示すように、ＳＲＳ送信用リソースとして割り当て可能なコード方向リソースは、各移動局ＵＥに対して割り当てられた時間方向リソース及び周波数方向リソースに組み合わせによって特定されるリソース内で、「Ｃｙｃｌｉｃ  Ｓｈｉｆｔ」の関係にあり互いに直交する複数（例えば、８個）の系列（Ｃｙｃｌｉｃ  Ｓｅｑｕｅｎｃｅ、以下、ＣＳ）によって多重されている。
【００４４】
図８に示すように、かかる１サブフレーム内においてＳＲＳ送信用リソースとして割り当て可能なコード方向リソース（ＣＳ）には、ＣＳインデックス（ＣＳ  Ｉｎｄｅｘ）が付与されている。
【００４５】
すなわち、リソース割当部１１は、ＳＲＳ送信用リソースとして割り当てる各サブフレーム内の周波数方向リソース（ＳＲＳ  ＲＢＧと「ｋＴＣ」との組み合わせ）及びコード方向リソース（ＣＳ）を決定し、通知部１２は、各移動局ＵＥに対して、決定したリソースを通知し、各移動局ＵＥは、通知されたＳＲＳ送信用リソースを用いて、ＳＲＳを送信するように構成されている。
【００４６】
このように、リソース割当部１１は、ＳＲＳ送信用リソースとして割り当てる時間方向リソース（サブフレーム）及び周波数方向リソース（ＳＲＳ  ＲＢＧ及び「ｋＴＣ」の組み合わせ）を決定した後、ＳＲＳ送信用リソースとして割り当てるコード方向リソース（ＣＳ）を最後に決定することによって、同一の周波数方向リソース（ＳＲＳ  ＲＢＧ及び「ｋＴＣ」）内におけるＳＲＳ送信用リソースの割り当てを減らし、干渉の増大を極力少なく抑えることができる。
【００４７】
具体的には、リソース割当部１１は、各周波数方向リソース（ＳＲＳ  ＲＢＧ及び「ｋＴＣ」の組み合わせ）におけるコード方向リソース（ＣＳ）の使用状況に基づいて、ＳＲＳ送信用リソースとして割り当てる周波数方向リソース（ＳＲＳ  ＲＢＧ及び「ｋＴＣ」）を決定するように構成されていてもよい。
【００４８】
例えば、リソース割当部１１は、各時間方向リソース（サブフレーム）内において、使用中のコード方向リソース（ＣＳ）の数が少ない周波数方向リソース（ＳＲＳ  ＲＢＧ及び「ｋＴＣ」の組み合わせ）から順に、ＳＲＳ送信用リソースとして割り当てるように構成されていてもよい。
【００４９】
また、リソース割当部１１は、各時間方向リソース（サブフレーム）内において、使用可能なコード方向リソース（ＣＳ）の数が多い周波数方向リソース（ＳＲＳ  ＲＢＧ及び「ｋＴＣ」の組み合わせ）から順に、ＳＲＳ送信用リソースとして割り当てるように構成されていてもよい。
【００５０】
また、リソース割当部１１は、各時間方向リソース（サブフレーム）内において、コード方向リソース（ＣＳ）の使用率が小さい周波数方向リソース（ＳＲＳ  ＲＢＧ及び「ｋＴＣ」の組み合わせ）から順に、ＳＲＳ送信用リソースとして割り当てるように構成されていてもよい。
【００５１】
ここで、コード方向リソース（ＣＳ）の使用率は、各周波数方向リソース（ＳＲＳ  ＲＢＧ及び「ｋＴＣ」の組み合わせ）におけるＳＲＳ送信用のコード方向リソース（ＣＳ）の数に対する使用中のコード方向リソース（ＣＳ）の数の比率である。
【００５２】
ここで、リソース割当部１１は、タイマによって、各周波数方向リソース（ＳＲＳ  ＲＢＧ及び「ｋＴＣ」の組み合わせ）内のコード方向リソース（ＣＳ）が解放されてから経過した期間を監視し、各周波数方向リソース（ＳＲＳ  ＲＢＧ及び「ｋＴＣ」の組み合わせ）において、解放された後に一定期間経過したコード方向リソース（ＣＳ）を、使用可能なコード方向リソース（ＣＳ）とするように構成されていてもよい。
【００５３】
例えば、リソース割当部１１は、ＳＲＳ送信用リソースとして割り当て可能な周波数方向リソース（ＳＲＳ  ＲＢＧ及び「ｋＴＣ」の組み合わせ）に対して、時間方向、周波数方向の順に、インデックスを割り当てるように構成されていてもよい。
【００５４】
そして、リソース割当部１１は、各時間方向リソース（サブフレーム）内において、使用中のコード方向リソース（ＣＳ）の数が少ない（或いは、使用可能なコード方向リソース（ＣＳ）の数が多い、又は、コード方向リソース（ＣＳ）の使用率が小さい）周波数方向リソース（ＳＲＳ  ＲＢＧ及び「ｋＴＣ」の組み合わせ）から順に、ＳＲＳ送信用リソースとして割り当てるように構成されているが、複数の周波数方向リソース（ＳＲＳ  ＲＢＧ及び「ｋＴＣ」の組み合わせ）において、使用中のコード方向リソース（ＣＳ）の数（或いは、使用可能なコード方向リソースの数、又は、コード方向リソース（ＣＳ）の使用率）が同じであれば、インデックスが最も小さい周波数方向リソース（ＳＲＳ  ＲＢＧ及び「ｋＴＣ」の組み合わせ）を、ＳＲＳ送信用リソースとして割り当てるように構成されていてもよい。
【００５５】
なお、図８に示すように、ＳＲＳ送信用リソースとして割り当て可能なコード方向リソース（ＣＳ）間に、干渉を避けるために、ガード用コード方向リソース（ＣＳ）が設けられていてもよい。
【００５６】
すなわち、リソース割当部１１は、各周波数方向リソース（ＳＲＳ  ＲＢＧ及び「ｋＴＣ」）におけるコード方向リソース（ＣＳ）を、間欠的に割り当てるように構成されていてもよい。
【００５７】
例えば、図８に示すように、リソース割当部１１は、各周波数方向リソース（ＳＲＳ  ＲＢＧ及び「ｋＴＣ」の組み合わせ）において、ＳＲＳ送信用リソースとして割り当てるコード方向リソース（ＣＳ）がなるべく離れるように間引いて割り当てるように構成されている。
【００５８】
具体的には、図８に示すように、リソース割当部１１は、ＳＲＳ送信用リソースとして割り当てるコード方向リソース（ＣＳ）を、ＣＳ＃１→ＣＳ＃３→ＣＳ＃２→ＣＳ＃４の順に、すなわち、コード方向リソース（ＣＳ）がなるべく離れるように、ラウンドロビンで割り当てるように構成されている。
【００５９】
また、図９に示すように、リソース割当部１１は、特定インデックスが付与されているコード方向リソース（ＣＳ）の割り当て位置を、他セルにおける当該特定インデックスが付与されているコード方向リソース（ＣＳ）の割り当て位置からずらすように構成されていてもよい。
【００６０】
また、図１０に示すように、各移動局ＵＥによって送信される複数のＳＲＳで使用される周波数帯域幅が異なる場合（例えば、２０ＲＢ及び４ＲＢに対応する周波数帯域幅）、すなわち、ＳＲＳ送信用リソースとして割り当て可能な周波数方向リソースとして異なる周波数帯域幅の周波数方向リソースが多重される場合、リソース割当部１１は、各移動局ＵＥに対して、ＳＲＳ送信用リソースとして、コード方向リソース（ＣＳ）を割り当てることができない。
【００６１】
例えば、図１０において、リソース割当部１１は、移動局ＵＥ＃１に対して、２０ＲＢに対応する周波数帯域幅に渡るＳＲＳを送信するためのＳＲＳ送信用リソースとして、サブフレーム＃ｎ（時間方向リソース）と、ＳＲＳ  ＲＢＧ＃２０-１（周波数方向リソース）と、「ｋＴＣ＝０（周波数方向リソース）」とによって特定されるリソースＡを割り当てるように構成されていてもよい。
【００６２】
或いは、リソース割当部１１は、４ＲＢに対応する周波数帯域幅に渡るＳＲＳを送信するためのＳＲＳ送信用リソースとして、サブフレーム＃ｎ（時間方向リソース）と、ＳＲＳ  ＲＢＧ＃４-４（周波数方向リソース）と、「ｋＴＣ＝１（周波数方向リソース）」とによって特定されるリソースＢを割り当てるように構成されていてもよい。
【００６３】
また、図１１に示すように、リソース割当部１１は、２０ＲＢに対応する周波数帯域幅に渡るＳＲＳを送信するためのＳＲＳ送信用リソースとして割り当て可能なサブフレームと、４ＲＢに対応する周波数帯域幅に渡るＳＲＳを送信するためのＳＲＳ送信用リソースとして割り当て可能なサブフレームとを変えるように構成されていてもよい。
【００６４】
例えば、図１１に示すように、リソース割当部１１は、サブフレーム＃ｎを、４ＲＢに対応する周波数帯域幅に渡るＳＲＳを送信するためのＳＲＳ送信用リソースとしてのみ割り当て可能なサブフレームとし、２０ＲＢに対応する周波数帯域幅に渡るＳＲＳを送信するためのＳＲＳ送信用リソースとして割り当てないように構成されていてもよい。
【００６５】
また、図１２に示すように、リソース割当部１１は、２０ＲＢに対応する周波数帯域幅に渡るＳＲＳを送信するためのＳＲＳ送信用リソースとして割り当て可能なサブフレーム及び「ｋＴＣ」の組み合わせと、４ＲＢに対応する周波数帯域幅に渡るＳＲＳを送信するためのＳＲＳ送信用リソースとして割り当て可能なサブフレーム及び「ｋＴＣ」の組み合わせとを変えるように構成されていてもよい。
【００６６】
例えば、図１２に示すように、リソース割当部１１は、サブフレーム＃ｎ及び「ｋＴＣ＝１」によって特定されるリソースを、４ＲＢに対応する周波数帯域幅に渡るＳＲＳを送信するためのＳＲＳ送信用リソースとしてのみ割り当て可能なサブフレームとし、２０ＲＢに対応する周波数帯域幅に渡るＳＲＳを送信するためのＳＲＳ送信用リソースとして割り当てないように構成されていてもよい。
【００６７】
また、図１３に示すように、リソース割当部１１は、４ＲＢに対応する周波数帯域幅に渡るＳＲＳを送信するためのＳＲＳ送信用リソースとして割り当て可能なサブフレーム及び「ｋＴＣ」の組み合わせにおいて、割り当て可能なＳＲＳ  ＲＢＧを限定してもよい。
【００６８】
例えば、図１３に示すように、リソース割当部１１は、４ＲＢに対応する周波数帯域幅に渡るＳＲＳを送信するためのＳＲＳ送信用リソースとしてのみ割り当て可能なリソースであるサブフレーム＃ｎ及び「ｋＴＣ＝１」によって特定されるリソースにおいて、ＳＲＳ  ＲＢＧ＃４-４及び＃４-５を割り当てないように構成されていてもよい。
【００６９】
また、当該移動局ＵＥにＰＵＣＣＨ送信用リソースが割り当てられているサブフレーム及び他の移動局ＵＥがＰＲＡＣＨを送信する可能性のあるサブフレームにおいて、ＳＲＳ送信用リソースを割り当てないように構成されていてもよい。
【００７０】
（本発明の第１の実施形態に係る移動通信システムの動作）
以下、図１４を参照して、本実施形態に係る移動通信システムの動作について、具体的には、本実施形態に係る無線基地局ｅＮＢによるＳＲＳ送信用リソースの割り当て動作について説明する。
【００７１】
図１４に示すように、ステップＳ１０１において、無線基地局ｅＮＢは、ＳＲＳの送信に必要な周波数帯域幅ＢＳＲＳを決定し、パラメータｂに入力する。
【００７２】
ステップＳ１０２において、無線基地局ｅＮＢは、かかる周波数帯域幅に対応する周波数帯域内のリソース（例えば、２０ＲＢに対応する周波数帯域幅に渡るＳＲＳを送信するためのＳＲＳ送信用リソースとして割り当て可能な時間方向リソース、周波数方向リソース及びコード方向リソース）に空きがあるか否かについて判定する。
【００７３】
かかるリソースに空きが存在すると判定された場合、無線基地局ｅＮＢは、ステップＳ１０３の処理に進み、かかるリソースに空きが存在しないと判定された場合、無線基地局ｅＮＢは、ＳＲＳ送信用リソースの割り当てに失敗する。
【００７４】
ステップＳ１０３において、無線基地局ｅＮＢは、ＳＲＳ送信用リソースとして割り当て可能なＳＲＳ  ＲＢＧ＃ｉ内のリソース使用率ｐｂ（ｉ）の最小値Ｎｍｉｎを求める。
【００７５】
無線基地局ｅＮＢは、ステップＳ１０４において、「ｋ＝０」と設定し、ステップＳ１０５において、「ｐ（ｉ）＞Ｎｍｉｎ」が成立するか否かについて判定する。
【００７６】
無線基地局ｅＮＢは、「ｐ（ｉ）＞Ｎｍｉｎ」が成立すると判定した場合、ステップＳ１０６において、割り当て可能なＳＲＳ  ＲＢＧの合計を上回るまで「ｋ」を１つだけインクリメントし、ステップＳ１０５の動作に戻る。
【００７７】
一方、無線基地局ｅＮＢは、「ｐ（ｉ）＞Ｎｍｉｎ」が成立しないと判定した場合、ステップＳ１０７において、かかるＳＲＳ  ＲＢＧ＃ｋを、ＳＲＳ送信用リソースとして割り当て、ステップＳ１０８において、「ｎ  ＝  （ｍｂ（ｋ）＋１）  ｍｏｄ  ＮＣＳｋ」によって「ｎ」を算出する。
【００７８】
ここで、ｍｂ（ｉ）は、ｉ番目のＳＲＳ  ＲＢＧ内で前回割り当てられたＳＲＳ送信用リソースの数であり、ＮＣＳｉは、ｉ番目のＳＲＳ  ＲＢＧ内における使用可能な全ＳＲＳ送信用リソースの数である。
【００７９】
ステップＳ１０９において、無線基地局ｅＮＢは、ＳＲＳ  ＲＢＧ＃ｋ内のｎ番目のリソース（ＣＳ）が使用可能であるか否かについて判定する。
【００８０】
無線基地局ｅＮＢは、ＳＲＳ  ＲＢＧ＃ｋ内のｎ番目のリソース（ＣＳ）が使用可能であると判定した場合に、ステップＳ１１１において、「ｍｂ（ｋ）＝ｎ」とし、ステップＳ１１２において、ＳＲＳ送信用リソースとしてＳＲＳ  ＲＢＧ＃ｋ内のｎ番目のリソース（ＣＳ）を割り当てる。
【００８１】
一方、無線基地局ｅＮＢは、ＳＲＳ  ＲＢＧ＃ｋ内のｎ番目のリソース（ＣＳ）が使用可能ではないと判定した場合に、ステップＳ１１０において、「ｎ」を１つだけインクリメントし、ステップＳ１０９の動作を繰り返す。
【００８２】
（本発明の第１の実施形態に係る移動通信システムの作用・効果）
本発明の第１の実施形態に係る移動通信システムによれば、無線基地局ｅＮＢにおいて、ＳＲＳ送信用リソースとして割り当てるサブフレーム、ＳＲＳ  ＲＢＧ及び「ｋＴＣ」を決定した後に、ＳＲＳ送信用リソースとして割り当てるＣＳを決定するように構成されているため、同一のＳＲＢ  ＲＢＧ及び「ｋＴＣ」によって特定されるリソース内でＳＲＳ送信用リソースとして割り当てるＣＳの数を低減することによって、干渉の影響を抑制することができる。
【００８３】
以上に述べた本実施形態の特徴は、以下のように表現されていてもよい。
【００８４】
本実施形態の第１の特徴は、無線基地局ｅＮＢであって、各移動局ＵＥに対して、ＳＲＳ（所定の物理信号）を送信するためのＳＲＳ送信用リソース（物理信号送信用リソース）として、時間方向リソース（サブフレーム）、周波数方向リソース及びコード方向リソースを割り当てるように構成されているリソース割当部１１を具備し、周波数方向リソースは、周波数領域（ＳＲＳ  ＲＢＧ）及び周波数領域内の周波数位置（ＴＣにおけるｋＴＣ）によって特定されるように構成されていることを要旨とする。
【００８５】
本実施形態の第１の特徴において、各移動局ＵＥによって送信される複数のＳＲＳで使用される周波数帯域幅が同一である場合、リソース割当部１１は、各移動局ＵＥに対して、ＳＲＳ送信用リソースとして、時間方向リソース及び周波数方向リソースを割り当てた後に、コード方向リソース（ＣＳ）を割り当てるように構成されていてもよい。
【００８６】
本実施形態の第１の特徴において、リソース割当部１１は、各周波数方向リソースにおけるコード方向リソースの使用状況に基づいて、ＳＲＳ送信用リソースとして割り当てる周波数方向リソースを決定するように構成されていてもよい。
【００８７】
本実施形態の第１の特徴において、リソース割当部１１は、各時間方向リソース内において、使用中のコード方向リソースの数が少ない周波数方向リソースから順に、ＳＲＳ送信用リソースとして割り当てるように構成されていてもよい。
【００８８】
本実施形態の第１の特徴において、リソース割当部１１は、各時間方向リソース内において、使用可能なコード方向リソースの数が多い周波数方向リソースから順に、ＳＲＳ送信用リソースとして割り当てるように構成されていてもよい。
【００８９】
本実施形態の第１の特徴において、リソース割当部１１は、各時間方向リソース内において、コード方向リソースの使用率が小さい周波数方向リソースから順に、ＳＲＳ送信用リソースとして割り当てるように構成されていてもよい。
【００９０】
本実施形態の第１の特徴において、リソース割当部１１は、各周波数方向リソースにおいて、解放された後に一定期間経過したコード方向リソースを、使用可能なコード方向リソースとするように構成されていてもよい。
【００９１】
本実施形態の第１の特徴において、リソース割当部１１は、各周波数方向リソースにおけるコード方向リソースを、間欠的に割り当てるように構成されていてもよい。
【００９２】
本実施形態の第１の特徴において、リソース割当部１１は、特定インデックスが付与されているコード方向リソースの割り当て位置を、他セルにおける該特定インデックスが付与されているコード方向リソースの割り当て位置からずらすように構成されていてもよい。
【００９３】
本実施形態の第１の特徴において、各移動局ＵＥによって送信される複数のＳＲＳで使用される周波数帯域幅が異なる場合、リソース割当部１１は、第１周波数帯域幅（例えば、２０ＲＢに対応する周波数帯域幅）に渡るＳＲＳを送信するためのＳＲＳ送信用リソースとして割り当て可能なサブフレームと、第２周波数帯域幅（例えば、４ＲＢに対応する周波数帯域幅）に渡るＳＲＳを送信するためのＳＲＳ送信用リソースとして割り当て可能なサブフレームとを変えるように構成されていてもよい。
【００９４】
本実施形態の第１の特徴において、各移動局ＵＥによって送信される複数のＳＲＳで使用される周波数帯域幅が異なる場合、リソース割当部１１は、第１周波数帯域幅（例えば、２０ＲＢに対応する周波数帯域幅）に渡るＳＲＳを送信するためのＳＲＳ送信用リソースとして割り当て可能なサブフレーム及び「ｋＴＣ」の組み合わせと、第２周波数帯域幅（例えば、４ＲＢに対応する周波数帯域幅）に渡るＳＲＳを送信するためのＳＲＳ送信用リソースとして割り当て可能なサブフレーム及び「ｋＴＣ」の組み合わせとを変えるように構成されていてもよい。
【００９５】
本実施形態の第２の特徴は、移動通信方法であって、各移動局ＵＥに対して、ＳＲＳを送信するためのＳＲＳ送信用リソースとして、時間方向リソース、周波数方向リソース及びコード方向リソースを割り当てる工程を有し、周波数方向リソースは、周波数領域及び該周波数領域内の周波数位置によって特定されることを要旨とする。
【００９６】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００９７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１００】
ＵＥ…移動局
ｅＮＢ…無線基地局
１１…リソース割当部
１２…通知部
【図１】
2010232743.tif 000003
【図２】
2010232743.tif 000004
【図３】
2010232743.tif 000005
【図４】
2010232743.tif 000006
【図５】
2010232743.tif 000007
【図６】
2010232743.tif 000008
【図７】
2010232743.tif 000009
【図８】
2010232743.tif 000010
【図９】
2010232743.tif 000011
【図１０】
2010232743.tif 000012
【図１１】
2010232743.tif 000013
【図１２】
2010232743.tif 000014
【図１３】
2010232743.tif 000015
【図１４】
2010232743.tif 000016